(57)【特許請求の範囲】
【請求項１】
ガスケットを読み込んでスキャンデータを作成可能なスキャン装置と、
該スキャン装置で作成されるスキャンデータを送信可能な送信装置と、
該送信装置から送信されるスキャンデータを受信可能な受信装置と、
該受信装置で受信するスキャンデータに基づいてガスケットを製造可能なガスケット製造装置と
を備え、
前記送信装置は、ガスケットを特定するための所定の商品情報として、当該ガスケットの商品名，製品番号，発注数量，納入場所，納入期日を示すデータを送信可能に構成され、
前記受信装置は、前記商品情報を受信可能に構成され、
前記受信装置は、送信装置からのデータを受信可能な中央装置と、該中央装置からのデータを受信可能な複数の末端装置とを有し、
前記複数の末端装置は各々、ガスケットの異なる複数のタイプのうち所定タイプを製造可能なガスケット製造装置に対応して設けられ、
前記中央装置は、前記送信装置からスキャンデータと商品情報を受信し、該商品情報に基づいて、複数の末端装置のうち、商品情報のガスケットタイプを製造可能なガスケット製造装置に対応して設けられる末端装置であって、対象ガスケットが所在する位置から最も近い所在地にある一の末端装置を特定し、該特定した末端装置にスキャンデータを送信するように構成されることを特徴とするガスケット製造システム。
【請求項２】
前記スキャン装置と送信装置とを搭載可能な移動体と
を備えることを特徴とする請求項１記載のガスケット製造システム。
【請求項３】
ガスケットを読み込んでスキャンデータを作成可能なスキャン装置と、該スキャン装置で作成されるスキャンデータ及びガスケットの商品情報を送信可能な送信装置と、該送信装置から送信されるスキャンデータ及び商品情報を受信可能な中央装置及び該中央装置からのデータを受信可能な複数の末端装置とを有する受信装置と、該受信装置で受信するスキャンデータ及び商品情報に基づいてガスケットを製造可能なガスケット製造装置とを備え、前記複数の末端装置は各々、ガスケットの異なる複数のタイプのうち所定タイプを製造可能なガスケット製造装置に対応して設けられるガスケット製造システムを用いたガスケット製造方法であって、
スキャン装置を用いて、交換対象であるガスケットを読み込んでスキャンデータを作成するスキャンデータ作成ステップと、
送信装置が、前記スキャンデータ及びガスケットを特定するための所定の商品情報として、当該ガスケットの商品名，製品番号，発注数量，納入場所，納入期日を示すデータを受信装置に送信する送信ステップと、
受信装置が、前記送信されたスキャンデータ及び商品情報を受信する受信ステップと、
ガスケット製造装置を用いて、前記受信したスキャンデータに基づいて前記交換対象であるガスケットを新たに製造するガスケット製造ステップと、を含み、
前記受信ステップは、前記中央装置が、前記送信装置からスキャンデータと商品情報を受信し、該商品情報に基づいて、複数の末端装置のうち、商品情報のガスケットタイプを製造可能なガスケット製造装置に対応して設けられる末端装置であって、対象ガスケットが所在する位置から最も近い所在地にある一の末端装置を特定し、該特定した末端装置にスキャンデータを送信するステップ
を含むことを特徴とするガスケット製造方法。
【請求項４】
前記ガスケット製造システムが、前記スキャン装置と送信装置とを搭載可能な移動体を備える、
ことを特徴とする請求項３記載のガスケット製造方法。
【発明の詳細な説明】
【技術分野】
【０００１】
本発明は、ガスケットの交換が必要な工場やプラントなどの現地でガスケットの製造に必要な情報を取得してガスケットを製造するガスケット製造システム及びガスケット製造方法に関する。
【背景技術】
【０００２】
一般に、配管の継ぎ手や圧力容器，バルブなどに、流体の漏れや外部からの異物の侵入などを防止するための手段としてガスケットが用いられている（例えば特許文献１）。
ガスケットは、使用により劣化するため、定期的に、あるいは緊急的に、交換する必要がある。【０００３】
ところで、プラントや工場などで使用されるガスケットは、汎用品ではなく、プラントや工場毎にカスタマイズされた形状を有していたり、使用される用途に応じて特殊な材料で形成されていたりすることがある。また、現在では製造・販売されていないガスケットが使用されている場合もある。
このようなガスケットを交換する場合には、例えば使用中のガスケットを型紙に転写して型取りし、型取りした型紙を用いて、各ガスケットの用途に応じたシート材料を適宜選択して、交換用ガスケットを新たに製造するようになっている。【０００４】
一方、ガスケットは、高い気密性を維持するためには高い精度で製造する必要がある。このため、ガスケットの製造には、原料となるシート材料を型取りした形状に精度良く切断加工するために、例えばカッティングプロッターなどの専用の装置を備えたガスケット製造システムが用いられる。
このようなガスケット製造システムは、精密加工機械であり、大型で重量も非常に大きく、また、消費電力も大きいことから大きな電源設備等を備える必要もある。【０００５】
このため、従来のガスケット製造システムは、環境・設備等が完備された専用の工場などに固定的に設置されて運用されていた。
しかしながら、汎用品でないガスケット、例えば上述したようなプラントや工場で現に使用されている専用のガスケットを交換する場合には、交換用のガスケットを新たに製造する必要があり、そのためには、交換対象となるガスケットの型取り作業を行った上で、専用のガスケット製造システムを用いてガスケットを製造しなければならない。【０００６】
このため、まず交換対象となるガスケットを現地で回収した後に、それを地理的に離れたガスケット製造用工場まで運んでガスケットの型取り及び製造を行い、その後、製造したガスケットを現地まで搬送・運搬して交換作業を行う、という手順・工程が必要となり、ガスケットの交換に多大な時間とエネルギーがかかっていた。
ここで、従来から、各種製品の加工装置や器具等をトラックやワゴン車などの運搬車両に搭載して、移動先で対象製品の加工や修理等を行うことが提案されている（例えば特許文献２，３）。
【先行技術文献】
【特許文献】
【０００７】
【特許文献１】特開２００１−２８０５０６号公報
【特許文献２】特公昭６２−４７１３９号公報
【特許文献３】特開平５−３１９１６４号公報
【発明の概要】
【発明が解決しようとする課題】
【０００８】
しかしながら、ガスケット製造システムは、上述のように大型で重量も大きい複数の機器・装置・電源設備等を備えることから、ガスケット製造システムを構成する装置等の全て車両に搭載して移動するためには、非常に大型の車両を用意する必要がある。また、そのような大型車両を運転・運用するための人材の確保や、燃料等の運用コストの負担なども考慮する必要がある。
また、ガスケット製造システムの全てを大型車両に搭載した場合、一台の車両で全国津々浦々を回らなければならず、遠隔地や広範囲な地域などを対象とした場合、迅速で効率的な対応が困難となる可能性も考えられる。【０００９】
さらに、ガスケットには複数の異なる種類・タイプが存在し、ガスケット製造システムに備えられる装備も、ガスケットのタイプに応じた装置や機器等を備える必要がある。
ところが、単一の車両にガスケット製造システムの全ての構成要素を搭載する場合、ガスケットのタイプに応じた複数の装備を搭載することは非常に困難乃至不可能であり、現実には一台の車両搭載型のガスケット製造システムでは一種類のガスケットの製造にのみ対応が可能であった。【００１０】
このように、ガスケット製造システムについては、特許文献２，３で提案されているような、単に移動車両に加工装置や器具等を搭載して運用するという単純な方法では、効率良く迅速かつ効果的なシステム運用が困難となり、更なる改良・改善の余地があった。【００１１】
本発明は、以上のような課題に鑑み提案されたものであり、ガスケットの交換が必要な工場やプラントなどの現地でガスケットの製造に必要な情報を取得して、現地から離れた所定の工場でガスケットを製造することができると共に、対象のガスケットが遠隔地や広範囲の地域に所在する場合にも、効率良く迅速・的確に製造することができ、複数種類のガスケットの製造にも対応が可能となるガスケット製造システムを提供することを目的とする。
【課題を解決するための手段】
【００１２】
上記目的を達成するため、本発明のガスケット製造システムは、ガスケットを読み込んでスキャンデータを作成可能なスキャン装置と、該スキャン装置で作成されるスキャンデータを送信可能な送信装置と、該送信装置から送信されるスキャンデータを受信可能な受信装置と、該受信装置で受信するスキャンデータに基づいてガスケットを製造可能なガスケット製造装置とを備え、前記送信装置は、ガスケットを特定するための所定の商品情報として、当該ガスケットの商品名，製品番号，発注数量，納入場所，納入期日を示すデータを送信可能に構成され、前記受信装置は、前記商品情報を受信可能に構成され、前記受信装置は、送信装置からのデータを受信可能な中央装置と、該中央装置からのデータを受信可能な複数の末端装置とを有し、前記複数の末端装置は各々、ガスケットの異なる複数のタイプのうち所定タイプを製造可能なガスケット製造装置に対応して設けられ、前記中央装置は、前記送信装置からスキャンデータと商品情報を受信し、該商品情報に基づいて、複数の末端装置のうち、商品情報のガスケットタイプを製造可能なガスケット製造装置に対応して設けられる末端装置であって、対象ガスケットが所在する位置から最も近い所在地にある一の末端装置を特定し、該特定した末端装置にスキャンデータを送信するように構成されるようにしてある。
【００１３】
また、上記目的を達成するため、本発明のガスケット製造方法は、ガスケットを読み込んでスキャンデータを作成可能なスキャン装置と、該スキャン装置で作成されるスキャンデータ及びガスケットの商品情報を送信可能な送信装置と、該送信装置から送信されるスキャンデータ及び商品情報を受信可能な中央装置及び該中央装置からのデータを受信可能な複数の末端装置とを有する受信装置と、該受信装置で受信するスキャンデータ及び商品情報に基づいてガスケットを製造可能なガスケット製造装置とを備え、前記複数の末端装置は各々、ガスケットの異なる複数のタイプのうち所定タイプを製造可能なガスケット製造装置に対応して設けられるガスケット製造システムを用いたガスケット製造方法であって、スキャン装置を用いて、交換対象であるガスケットを読み込んでスキャンデータを作成するスキャンデータ作成ステップと、送信装置が、前記スキャンデータ及びガスケットを特定するための所定の商品情報として、当該ガスケットの商品名，製品番号，発注数量，納入場所，納入期日を示すデータを受信装置に送信する送信ステップと、受信装置が、前記送信されたスキャンデータ及び商品情報を受信する受信ステップと、ガスケット製造装置を用いて、前記受信したスキャンデータに基づいて前記交換対象であるガスケットを新たに製造するガスケット製造ステップと、を含み、前記受信ステップは、前記中央装置が、前記送信装置からスキャンデータと商品情報を受信し、該商品情報に基づいて、複数の末端装置のうち、商品情報のガスケットタイプを製造可能なガスケット製造装置に対応して設けられる末端装置であって、対象ガスケットが所在する位置から最も近い所在地にある一の末端装置を特定し、該特定した末端装置にスキャンデータを送信するステップを含む構成としてある。
【発明の効果】
【００１４】
本発明のガスケット製造システムによれば、ガスケットの交換が必要な工場やプラントなどの現地でガスケットの製造に必要な情報を取得して、現地から離れた所定の工場でガスケットを製造することができる。
また、対象のガスケットが遠隔地や広範囲の地域に所在する場合にも、効率良く迅速・的確に製造することができ、複数種類のガスケットの製造にも対応が可能となる。
【図面の簡単な説明】
【００１５】
【図１】本発明の第一実施形態に係るガスケット製造システムを示すブロック図であり、（ａ）はガスケット製造システムの基本な構成要素となるスキャン装置，送信装置，受信装置，ガスケット製造装置の構成を示しており、（ｂ）はスキャン装置と送信装置が移動体に備えられ、受信装置とガスケット製造装置とが工場に備えられ、両者がネットワークを介して接続される構成を示している。
【図２】本発明の第一実施形態に係るガスケット製造システムにおいて、スキャン装置と送信装置を搭載した移動体としてトラック等の車両が例えば日本国内を移動する場合を模式的に示す説明図である。
【図３】本発明の第一実施形態に係るガスケット製造システムにおけるガスケット製造方法の工程を示すフローチャートである。
【図４】本発明の第二実施形態に係るガスケット製造システムを示すブロック図である。
【図５】本発明の第二実施形態に係るガスケット製造システムにおいて中央装置に記憶されるデータを示す説明図であり、複数の工場の工場名，所在地，ガスケット製造装置のタイプ，加工実績，末端装置のアドレス等の関連情報を示すテーブルである。
【図６】本発明の第二実施形態に係るガスケット製造システムにおいて、スキャン装置と送信装置を搭載した移動体として飛行機が例えば米国のような広域の地域を移動する場合を模式的に示す説明図である。
【図７】本発明の第二実施形態に係るガスケット製造システムにおけるガスケット製造方法の工程を示すフローチャートである。
【発明を実施するための形態】
【００１６】
以下、本発明のガスケット製造システム及びガスケット製造方法の実施形態について、図面を参照しつつ説明する。
［第一実施形態］
まず、本発明のガスケット製造システム及びガスケット製造方法の第一実施形態について、図１〜３を参照して説明する。
図１は、本発明の第一実施形態に係るガスケット製造システム１を示すブロック図であり、（ａ）はガスケット製造システム１の基本の構成要素となるスキャン装置１１，送信装置１２，受信装置２１，ガスケット製造装置２２の構成を示しており、（ｂ）はスキャン装置１１と送信装置１２が移動体１０に備えられ、受信装置２１とガスケット製造装置２２とが工場２０に備えられ、両者がネットワーク３０（例えばインターネット等）を介して接続される構成を示している。
【００１７】
［ガスケット製造システム］
同図に示すように、本実施形態のガスケット製造システム１は、基本的な構成要件として、スキャン装置１１，送信装置１２，受信装置２１，ガスケット製造装置２２を備えている。
そして、本実施形態では、スキャン装置１１と送信装置１２が移動体１０に備えられ、受信装置２１とガスケット製造装置２２とが工場２０に備えられ、両者がネットワーク３０を介してデータ伝送可能に接続されるようになっている。
これによって、送信装置１２と受信装置２１との間で、インターネットやその他の通信網等を構成するネットワーク３０を経由してデータの送受信が行えることにより、スキャン装置１１で生成・取得されたデータが、離れた場所に位置するガスケット製造装置２２に容易かつ迅速に送信・入力できるようになる。
【００１８】
このような構成からなる本実施形態のガスケット製造システム１では、対象となるガスケットが設置・使用されている現場には、移動体１０によってスキャン装置１１と送信装置１２だけが移動・搬送されれば良く、受信装置２１とガスケット製造装置２２は、所定の工場２０、例えば対象となるガスケット製造に最適な環境の専用の工場２０などに設置されていれば良い。
これによって、ガスケットの交換が必要な工場やプラントなどの現地でガスケットの製造に必要な情報をスキャン装置１１と送信装置１２で取得・送信し、ネットワーク３０を経由して、現地から離れた所定の工場２０に備えられた受信装置２１とガスケット製造装置２２で受信・取得することができ、遠隔地や広範囲の地域に所在する対象ガスケットであっても効率良く迅速・的確に製造することができるようになる。
以下、本実施形態のガスケット製造システム１を構成する各構成について、具体的に説明する。
【００１９】
［スキャン装置］
スキャン装置１１は、ガスケットを読み込んでスキャンデータを作成可能な装置であり、製造・交換の対象となるガスケットをスキャニングして、ガスケットの形状データを生成する画像形成装置である。具体的には、光源からガスケットに照明走査した光の反射光を結像することによりガスケットの形状を読み取り、ガスケットの形状データを生成する。
このようなスキャン装置１１としては、据置型や携帯型のスキャナ，コピー機，スキャン機能を備えた複合機（ＭＦＰ）などの画像形成装置・画像処理装置があり、例えば公知のスキャナ（例えばグラフテック株式会社製のＣＳＸ５３０−０９）を用いることができる。
【００２０】
ここで、スキャン装置１１によるガスケットの形状の読み取りは、ガスケットに直接光を照明走査することで行うことができるが、例えば透明又は半透明の保護フィルム又は保護板に挟持された状態でガスケットに光を照明走査することで行うこともできる。但し、スキャン装置１１によるガスケットの読み取り方式は、これらに限定されず、他の読み取り方式を採用することも勿論可能である。
また、スキャン装置１１で生成されるガスケットのスキャンデータとしては、ガスケットの２次元形状を示す２次元データや、ガスケットの２次元形状と３次元方向の形状（厚み）を示す３次元データが含まれる。スキャンデータとして３次元データを生成・取得することで、対象ガスケットの形状を３次元で正確に再現することができ、より高精度にガスケットの製造が行えるようになる。
なお、その他にも、スキャン装置１１は、ガスケットに設けられたガスケット情報（形状データ、後述の商品情報データ）を有するＲＦＩＤ（例えばＩＣタグ）やＩＣチップ、バーコードを読み込んでスキャンデータを作成可能なスキャン装置として構成されることも可能である。
【００２１】
［送信装置］
送信装置１２は、スキャン装置１１で作成されるスキャンデータを送信可能な装置である。
具体的には、送信装置１２は、スキャン装置１１及びネットワーク３０と有線・無線（有線及び無線の少なくとも一つ）を介して接続されるデータ送信機能を備えた情報処理装置からなり、例えばＰＣ（パーソナルコンピュータ）や無線通信端末（携帯電話・タブレット端末），ＦＡＸ機などで構成される。
また、スキャン装置１１に備えられたデータ送信機能、例えばインターネット接続可能なＬＡＮポートや赤外線ポート，ＦＡＸポートを、送信装置１２として使用することもできる。すなわち、送信装置１２は、スキャン装置１１と一体で構成することも別体で構成することも可能である。
【００２２】
このような送信装置１２を備えることで、スキャン装置１１で取得・生成されたガスケットのスキャンデータを、ネットワークを介してデータ送信することができ、例えばインターネットを経由することで世界中のどこにでも簡易・迅速に送信することが可能となる。
このため、スキャンデータに基づいてガスケットを製造するガスケット製造装置２２が遠隔地や外国、あるいは複数の場所などに所在していても、スキャン装置１１で取得したスキャンデータを、容易に、迅速かつ確実に、所望のガスケット製造装置２２に対して送信することができ、対象となるガスケットを効率的に製造させることができるようになる。
【００２３】
また、本実施形態に係る送信装置１２は、スキャン装置１１で生成されたガスケットのスキャンデータと共に、そのガスケットについての所定の商品情報を送信可能に構成されている。
ここで、ガスケットの商品情報としては、種々の情報があり得るが、本実施形態では、少なくとも対応するガスケットの商品名を含むものである。ガスケットの商品名は、当該ガスケットのタイプを特定できる情報であり、対象となるガスケットを的確に識別・特定できる情報となることから、スキャンデータと共に送信する商品情報として好ましい。
ガスケットの商品名の例としては、例えばニチアス株式会社製のガスケットであれば、「ボルテックス」，「メタルジャケット」，「グラシール」，「クリンシール」，「カンプロファイル」，「ナフロン」などがある。これらは、対応するガスケットのタイプを一意に識別・特定できる情報であり、スキャンデータと共に送信する商品情報に含められるようにしてある。
【００２４】
また、以上のようなスキャンデータと共に送信するデータ（商品情報）としては、商品名だけに限定されず、他のデータを商品情報として送信することも勿論可能である。
例えば、ガスケットの発注数量，納入場所，納入期日，加工実績（過去にどの工場で製造されたか、又は、当該工場で製造依頼を何回受けたか等），製品の厚さ情報等，対応するガスケットを特定するための製品番号や型番号、当該ガスケットの製造日時・製造場所・製造装置名などを、商品情報としてスキャンデータと共に送信することができる。
【００２５】
このように、対象となるガスケットの製造に際して有用となる情報・データであれば、ネットワークを介して送信できる限り、どのような情報等であってもスキャンデータと共に送信することができる。
なお、以上のような商品情報は、例えば送信装置１２を構成する端末装置等を介して操作者がデータ入力して送信することができ、また、予め送信装置１２を構成する端末装置やスキャン装置１１を構成する画像処理装置などに商品情報を記憶しておき、スキャンデータに対応する商標情報を抽出して、送信装置１２を介して送信することもできる。また、商品情報をバーコードや二次元コードなどにコード化して送信することも可能である。
【００２６】
［移動体］
本実施形態のガスケット製造システム１では、図１（ｂ）に示すように、スキャン装置１１と送信装置１２とを搭載可能な移動体１０を備えている。
移動体１０は、上述したような画像形成装置等からなるスキャン装置１１と、データ通信端末等からなる送信装置１２とを搭載・保持して、所望の目的地まで移動・運搬できる手段であり、例えば自動車（乗用車・貨物自動車等）やオートバイ，飛行機，船舶，列車等などが該当する。
本実施形態では、図２に示すように、移動体１０をトラックなどの貨物自動車・輸送車両で構成することができ、移動体１０の荷台部分などにスキャン装置１１と送信装置１２が搭載されるようになっている。
なお、後述する第二実施形態では、移動体１０を飛行機で構成した例を示す（図６参照）。
【００２７】
そして、スキャン装置１１と送信装置１２を搭載した移動体１０をプラントや工場などのガスケット交換が必要な現地に移動させ、移動体１０に搭載されたスキャン装置１１によって、現地にて交換対象ガスケットのスキャンデータを取得・生成し、所定の商品情報新と共に送信装置１２を介して受信装置２１側に送信することができる。
これによって、交換が必要なガスケットが遠隔地や広範囲の地域に所在する場合でも、自動車等の移動体１０が移動することで対象ガスケットの製造に必要な情報を効率良く迅速に収集して、その情報をガスケット製造装置２２が備えられる工場２０に極めて容易に送信することで、対象ガスケットを的確に製造することができるようになる。
【００２８】
このように本実施形態のガスケット製造システム１では、スキャン装置１１と送信装置１２とが移動体１０に搭載されており、移動体１０ごと対象ガスケットが所在する現地に移動することができるようになっている。
そして、移動体１０によって搬送されたスキャン装置１１によって交換対象のガスケットの形状データを現地で取得することができ、ガスケットの製造に必要なデータ・情報を現地で取得・収集することができる。
また、移動体１０が赴く移動先となるプラントや工場によっては、交換対象となるガスケットが設置されている場所が敷地内でそれぞれ異なることもあるが、本実施形態によれば、交換が必要な敷地内の最適な場所・位置まで移動体１０を移動させることで、対象ガスケットが広い敷地内で複数個所に所在する場合でも、容易かつ迅速にガスケットのスキャンデータを取得することが可能となる。
【００２９】
なお、移動体１０は、スキャン装置１１と送信装置１２を搬送・運搬できる限り、例えば人間も本発明の移動体１０となり得る。
すなわち、小型軽量化された携帯可能なスキャン装置１１と、携帯型の無線通信端末等からなる送信装置１２であれば、人間がカバンなどに入れて容易に持ち運びが可能となる。従って、そのようなスキャン装置１１と送信装置１２を携えた人間が、徒歩や、交通機関などを使用して目的地に赴くことで、本発明に係る移動体１０としての機能を果たすことができる。
この場合、大型の車両等を用意する必要がなくなることから、多数の人間を集めることで、対象となるガスケットが複数の地域に点在するような場合に、それぞれの人間がそれぞれの目的に赴くことで、複数のガスケットの製造にも迅速かつ効率的に対応することが可能となる。
【００３０】
［受信装置］
受信装置２１は、送信装置１２から送信されるスキャンデータを受信可能な装置である。
また、本実施形態に係る受信装置２１は、ガスケットのスキャンデータと共に、上述した当該ガスケットについての所定の商品情報も、送信装置１２から受信可能に構成されている。
【００３１】
具体的には、受信装置２１は、上述した送信装置１２の場合とほぼ同様に、ネットワーク３０及びガスケット製造装置２２と有線・無線を介して接続されるデータ受信機能を備えた情報処理装置からなり、例えばＰＣ（パーソナルコンピュータ）や無線通信端末（携帯電話・タブレット端末），ＦＡＸ機などで構成される。
また、ガスケット製造装置２２に備えられたデータ受信機能、例えばインターネット接続可能なＬＡＮポートや赤外線ポート，ＦＡＸポートを、受信装置２１として使用することもできる。
【００３２】
このような受信装置２１を備えることで、移動体１０で目的地に移動・搬送されたスキャン装置１１で取得されたガスケットのスキャンデータと所定の商品情報が、送信装置１２・ネットワーク３０を経由して、移動体１０と離れたガスケット製造装置側でデータ受信されることができ、例えばインターネットを経由することで世界中のどこにおいても受信することが可能となる。そして、受信されたデータはガスケット製造装置２２に送信・入力されることができる。
このため、対象ガスケットを製造するためのガスケット製造装置２２が遠隔地や外国等、どのような場所などに所在していても、現場で取得されたスキャンデータを、容易かつ迅速・確実に、ガスケット製造装置側で受信することができ、対象となるガスケットを製造することが可能となる。
【００３３】
［ガスケット製造装置］
ガスケット製造装置２２は、受信装置２１で受信するスキャンデータに基づいてガスケットを製造可能な装置・手段である。
具体的には、本実施形態に係るガスケット製造装置２２は、製造するガスケットの種類等に応じて、例えばカッティングプロッターなどの専用の装置によって構成される。カッティングプロッターは、外部からガスケットの形状データが入力されると、その形状データに合わせてガスケットに使用されるシート材料を切断加工するための装置である。なお、このようなカッティングプロッターは、公知の装置（例えば、株式会社ミマキエンジニアリング製のＣＦ３−１６１０）を用いることができる。
なお、カッティングプロッター以外にも、ガスケットの種類等に応じて、公知の装置・手段をガスケット製造装置２２として用いることが可能であることは勿論である。
【００３４】
そして、本実施形態では、このようなガスケット製造装置２２に入力されるガスケットの形状等を示すデータ・情報として、受信装置２１で受信される、移動体１０に搭載されたスキャン装置１１及び送信装置１２から送信されてくるスキャンデータと所定の商品情報を受信・入力するようになっている。
このようにして、ガスケット製造装置２２は、ネットワーク３０を介して外部から送信・入力されるデータに基づいて対象となるガスケットを製造することが可能となるため、ガスケット製造装置２２自体は、対象ガスケットが所在している現地に移動・搬送等する必要はなく、環境等の整備された最適な工場２０に設置しておくことができる。これによって、ガスケット製造装置２２が、大型で重量もあり、大きな電源設備等も必要とする、移動や運搬に適さない精密機器等で構成されるカッティングプロッターなどであっても、ガスケット製造装置２２自体は工場２０の適切な場所・環境に設置したまま使用・稼動できるようになる。
【００３５】
なお、スキャン装置１１で生成・取得されたガスケットの形状データは、最終的にガスケット製造装置２２に入力される前に、所定のコンピュータ等の情報処理装置に出力し、必要な加工等を行うことができる。
例えば、スキャン装置１１で取得されたガスケットの形状データを編集するアプリケーション機能を備えたコンピュータにスキャンデータを入力することで、スキャン装置１１から出力される形状データを、アプリケーション機能に対応した所定データ形式に変換したり、アプリケーション機能で編集された後の形状データを、カッティングプロッター等のガスケット製造装置２２入力するための所定のデータ形式に変換することができる。
【００３６】
具体的には、アプリケーション機能を備えたコンピュータでは、スキャン装置１１で取得されたガスケットのスキャンデータ（形状データ）に対して、例えば、ＣＡＤで編集できるように、ラスタ／ベクタ変換処理を行い、ＣＡＤデータとして編集可能なデータ形式に変換することができる。
また、必要に応じて、コンピュータ上でガスケットの形状データを、操作者が操作入力手段を介して編集することもできる。例えば、交換対象となるガスケットに変形や破損がある場合、スキャンデータにも変形等が存在するため、そのような部分の形状データを修正することができる。
【００３７】
なお、編集された形状データは、コンピュータやガスケット製造装置２２，受信装置２１などの所定の記憶領域に記憶することができ、編集前の形状データと合わせて記憶することも勿論可能である。
また、編集・記憶された形状データは、ガスケット製造装置２２に入力・読取可能なデータ形式に変換（例えばプロッター制御用のＤＦＸ形式のデータ形式に変換）する処理等も、コンピュータで実行しておくこともできる。
【００３８】
一般に、コンピュータ等の情報処理装置は、例えばマウスやキーボードなどの操作入力手段を備えることができ、作業者は、操作入力手段を介してガスケットの形状データを効率的に編集・処理することができる。
また、このようなコンピュータ等の情報処理装置は、ガスケット製造装置２２を備えた工場側に備えることもでき、また、スキャン装置１１を備えた移動体側に備えることも可能である。
さらに、このようなアプリケーション機能等を備えたコンピュータ等の情報処理装置をネットワーク３０に接続することで、上述した受信装置２１として機能させることもできる。
【００３９】
なお、スキャン装置１１によって取得されたガスケットの形状データのデータ形式が、ガスケット製造装置２２に入力するための所定のデータ形式である場合には、コンピュータ等の情報処理装置を介さずに、そのままガスケット製造装置２２に直接出力することができ、その場合には、データ変換等のためにコンピュータ等の情報処理装置を備えなくても良い。
一方、そのようなデータ形式がスキャン装置１１とガスケット製造装置２２とで異なる場合には、コンピュータ側で所定のデータ形式に変換してからガスケット製造装置２２に出力したり、ガスケット製造装置２２自体がスキャン装置１１から受信した形状データを所定のデータ形式に変換する機能を備えるように構成することもできる。
【００４０】
［ガスケット製造方法］
次に、以上のような構成からなる実施形態に係るガスケット製造システム１を用いたガスケット製造方法について、図３を参照しつつ説明する。
図３は、本実施形態に係るガスケット製造システム１におけるガスケット製造方法の工程を示すフローチャートである。
まず、前提として、交換の対象となるガスケットが所在する所定の目的地（例えば工場やプラント）まで、スキャン装置１１と送信装置１２を搭載した移動体１０を移動させる。本実施形態の場合には、移動体１０を構成するトラック等の輸送車両を目的地まで移動させる。
【００４１】
移動体１０が所定の移動先に移動した状態で、現場では、対象となるガスケットをスキャン装置１１で読み込んで、スキャンデータを作成する（ステップ１０１）。
具体的には、現場では、スキャン装置１１の操作者が、例えばプラントの配管等の現場から取り外された交換対象の使用済ガスケットを現地の人から受け取り、受け取ったガスケットを、スキャン装置１１にセットして、ガスケットのスキャニングを行う。
【００４２】
スキャン装置１１でスキャンニングされたガスケットの形状データ（スキャンデータ）は、送信装置１２に出力され、対応する所定の商品情報と共に送出され、ネットワーク３０を介して受信装置２１に出力・送信される（ステップ１０２）。
ガスケットに対応する商品情報（例えば商品名等）は、操作者が送信装置１２のキーボードやタッチパネル等の入力手段を操作してデータ入力することもでき、また、送信装置１２やスキャン装置１１などに予め格納された商品情報を抽出して送信することもできる。
【００４３】
送信装置１２から送信されたスキャンデータと商品情報は、ネットワーク３０を介してデータ伝送され、受信装置２１で受信される（ステップ１０３）。
そして、受信装置２１で受信されたスキャンデータと商品情報が、ガスケット製造装置２２に入力されて、そのスキャンデータと商品情報に基づいて、対象となるガスケットが製造される（ステップ１０４）。
【００４４】
ここで、ガスケット製造装置２２でのガスケットの製造は、例えば装置がカッティングプロッターである場合には次のように行われる。
まず、ガスケットの原料となるシート材料を、カッティングプロッターの平板状の加工テーブル上にセットする。このとき、シート材料は、ヒータ等の加熱手段により温められた状態で、カッティングプロッターで高精度な加工が行われる。
シート材料が温められるのは、例えば冬場などの気温が低い場合に、シート材料が堅くなって、カッティングプロッターの切断加工の精度が低下するため、シート材料を温めて柔らかくすることで、シート材料の切断加工を容易かつ精度良く行えるようにするためである。
【００４５】
カッティングプロッターにセットされたシート材料は、入力されたガスケットのスキャンデータ（形状データ）に合わせて、操作者の操作によって切断加工され、所定形状に切断・加工された新しいガスケットが製造される。
完成した新しいガスケットは、スキャンデータが取得された現地に輸送・搬送されて、古いガスケットと交換され、例えば配管などの所定箇所に取り付けられることになる。
この場合、移動体１０で新しいガスケットを搬送することもでき、また、例えば郵送などの別の手段で送ることもできる。
【００４６】
以上説明したように、本実施形態に係るガスケット製造システム１及びガスケット製造方法によれば、移動体１０にスキャン装置１１と送信装置１２を搭載して、所定の目的地に移動し、現地にて交換対象となるガスケットのスキャンデータを生成・取得し、そのデータをその場で、離れた場所にある工場２０に送信してガスケットを製造させることができる。
これにより、交換が必要なガスケットを迅速かつ効率よく製造・提供することができ、例えば緊急な対応・交換が必要となる化学物質や放射性物質などの取り扱いが厳重に管理される特殊な施設・プラントなどにおけるガスケットの交換も、定期的又は緊急に行うことができるようになる。
【００４７】
とりわけ、遠隔地におけるガスケットを交換等のために新たに製造するとき、遠隔地でスキャン装置１１と送信装置１２を用いて、スキャンデータを作成してそのスキャンデータを受信装置２１に送信し、受信装置２１で受信したスキャンデータに基づいてガスケット製造装置２２で新たにガスケットを製造できる。つまり、遠隔地との間で送受信されるスキャンデータに基づきガスケットを製造できる。
そのため、既存のガスケット製造装置とは別に搬送用ガスケット製造装置を製造して遠隔地に搬送することを要さずに、既存のガスケット製造装置をその設置場所で用いることができると共に、遠隔地のガスケットを既存のガスケット製造装置が設置されている場所まで取り寄せることを要しない。よって、ガスケット製造設備と製造方式をリーン化できると共に、迅速かつ円滑にガスケットを製造できるようになる。
【００４８】
［第二実施形態］
次に、本発明のガスケット製造システム及びガスケット製造方法の第二実施形態について、図４〜７を参照して説明する。
本実施形態は、上述した第一実施形態の変更実施形態であり、第一実施形態において一つだけ示していた工場２０について、複数の工場２０ａ〜２０ｎが備えられると共に、いずれの工場２０ａ〜２０ｎに対してガスケットを製造させるための所定情報を送信する制御を行う中央装置４０を備えることを特徴としている。
その他の構成部分については、上述した第一実施形態の場合と基本的に同様である。従って、本実施形態において、上述した第一実施形態で説明した構成要素と同様の構成要素については、同一の符号を付して詳細な説明は適宜割愛する。
【００４９】
図４は、本実施形態に係るガスケット製造システム１ａを示すブロック図である。
同図に示すように、本実施形態に係るガスケット製造システム１ａでは、上述した第一実施形態に係るガスケット製造システム１の受信装置２１に相当する受信装置として、中央装置４０及び複数の末端装置２１（２１ａ〜２１ｎ）を備えるようになっている。
また、図４では特に図示していないが、送信装置１２と中央装置４０、中央装置４０と複数の末端装置２１は、図１で示したネットワーク３０と同様のネットワークを介して、それぞれデータ伝送可能に接続されるようになっている。
【００５０】
［中央装置］
中央装置４０は、第一実施形態で示した受信装置２１と同様に、送信装置１２からのデータを受信可能な装置であり、ガスケットのスキャンデータと共に、当該ガスケットについての所定の商品情報も受信可能に構成されている。
具体的には、中央装置４０は、第一実施形態における受信装置２１とほぼ同様に、図示しないネットワークを介して、送信装置１２及び複数の末端装置ガスケット製造装置２２と有線・無線を介して接続されるデータ送受信機能を備えた情報処理装置（例えばＰＣやサーバ，無線通信端末，ＦＡＸ機など）で構成される。
【００５１】
そして、中央装置４０は、送信装置１２からスキャンデータと商品情報を受信すると、受信した商品情報を用いて複数の末端装置２１（２１ａ〜２１ｎ）のうちから、その商品情報に係るガスケットのタイプ（種類）を製造可能なガスケット製造装置２２ａ〜２２ｎに対応して設けられる末端装置２１ａ〜２１ｎを特定し、特定した末端装置２１にスキャンデータを送信するように構成されている。
すなわち、本実施形態では、図４に示すように、ガスケットを製造するガスケット製造装置２２として、異なるタイプのガスケットの製造に対応した、異なる複数のガスケット製造装置２２ａ〜２２ｎが、それぞれ異なる工場２０ａ〜２０ｎに備えられ、各工場２０ａ〜２０ｎがそれぞれ異なる地域・所在地に位置するようになっている。
【００５２】
中央装置４０は、そのように複数の工場２０ａ〜２０ｎにそれぞれ存在する異なる種類のガスケット製造装置２２ａ〜２２ｎについて、送信装置１２から受信した商品情報に基づいて、その商品情報が示すガスケットを製造させるには、いずれのガスケット製造装置２２が適切・最適かを判定し、いずれかのガスケット製造装置２２を特定・決定するようになっている。
そして、決定されたガスケット製造装置２２に接続された対応する末端装置２１に対して、スキャンデータや必要な商品情報を送信するようになっている。
中央装置４０によるガスケット製造装置２２の判定・決定の具体的な内容については、図５を参照しつつ後述する。
【００５３】
［末端装置・ガスケット製造装置］
複数の末端装置２１（２１ａ〜２１ｎ）は、中央装置４０からのデータを受信可能な複数の末端装置であり、複数の末端装置２１ａ〜２１ｎが各々、異なる複数のタイプのガスケットのうち、所定タイプを製造可能なガスケット製造装置に対応して設けられている。
本実施形態では、図４に示すように、ガスケット製造装置２２として、ｎ個（ｎ種類）のガスケット製造装置２２ａ〜２２ｎを備えるようになっており、各ガスケット製造装置２２ａ〜２２ｎによって、対応・製造が可能なガスケットのタイプ(種類)が異なっている。
【００５４】
図４に示す例では、ガスケット製造装置２２ａは汎用・市販されている通常のガスケット（シート材をリング状に打ち抜き加工してなるガスケット）の製造に対応した装置（通常のガスケット製造装置）、ガスケット製造装置２２ｂは株式会社ニチアス製ガスケット「ボルテックス」（例えば、ニチアス製品名：グラシールボルテックスガスケット等）の製造に対応した装置（ボルテックス製造装置）、ガスケット製造装置２２ｃは株式会社ニチアス製ガスケット「メタルジャケット」（例えば、ニチアス製品名：プレーン形メタルガスケット等）の製造に対応した装置（メタルジャケット製造装置）、・・・ガスケット製造装置２２ｎは「ｎ」タイプのガスケットの製造に対応した装置（ｎタイプのガスケット製造装置）となっている。
【００５５】
これらｎ個（ｎ種類）のガスケット製造装置２２ａ〜２２ｎが、それぞれ、異なるｎ箇所の工場２０ａ，２０ｂ，２０ｃ，・・・２０ｎに備えられるようになっている。
そして、各ガスケット製造装置２２ａ〜２２ｎには、それぞれ、対応する末端装置２１ａ〜２２ｎが接続されている。
これら対応する末端装置２１ａ〜２１ｎとガスケット製造装置２２ａ〜２２ｎの関係が、第一実施形態で示した受信装置２１とガスケット製造装置２２の関係に相当するものである。
【００５６】
中央装置４０は、以上のような複数の末端装置２１ａ〜２１ｎとデータ伝送可能に接続されており、送信装置１２から受信した商品情報に基づいて、複数の末端装置２１（２１ａ〜２１ｎ）のうちから、いずれかの末端装置２１を選択して、ガスケットのスキャンデータを送信し、必要な商品情報があればそのデータも送信するようになっている。
本実施形態では、中央装置４０は、送信装置１２からスキャンデータとともに送信される商品情報を用いて、その商品情報に係るガスケットのタイプ（種類）を製造可能なガスケット製造装置２２ａ〜２２ｎに対応して設けられる末端装置２１ａ〜２１ｎを特定し、特定した末端装置２１にスキャンデータを送信する。
【００５７】
具体的には、中央装置４０は、図５に示すような対応テーブルを情報として記憶しており、本実施形態では、複数の工場２０の工場名毎に、そこに備えられるガスケット製造装置２２のタイプ，工場所在地，加工実績，対応する末端装置２１のアドレス等の関連情報を関連付けて保持・記憶している。
そして、中央装置４０は、このテーブル情報と送信装置１２から受信した商品情報とを参照し、対象となるガスケットのタイプ（種類）に応じて、そのタイプのガスケットを製造可能なガスケット製造装置２２が備えられている工場２０を抽出・決定し、その工場２０（ガスケット製造装置２２）に対応して備えられる末端装置２２に対して、当該タイプのガスケットのスキャンデータや必要な商品情報を送信する。
【００５８】
例えば、商品情報で示されるガスケットのタイプが汎用の通常のガスケットである場合には、通常のガスケット製造装置２２ａを備える工場Ａ２０ａが抽出され、対応する末端装置２１ａにスキャンデータが送信される。また、商品情報で示されるガスケットのタイプが株式会社ニチアス製ガスケット「ボルテックス」である場合には、「ボルテックス」の製造に対応したボルテックス製造装置２２ｂを備える工場Ｂ２０ｂが抽出され、対応する末端装置２１ｂにスキャンデータが送信される。同様に、商品情報で示されるガスケットのタイプが株式会社ニチアス製ガスケット「メタルジャケット」である場合には、「メタルジャケット」の製造に対応したメタルジャケット製造装置２２ｃを備える工場Ｃ２０ｃが抽出され、対応する末端装置２１ｃにスキャンデータが送信される。
【００５９】
このように、中央装置４０を備えることで、複数の異なるタイプのガスケットの製造に対応した、異なる複数のガスケット製造装置２２ａ〜２２ｎが、それぞれ異なる工場２０ａ〜２０ｎに備えられる場合でも、対象ガスケットの製造に対応可能な工場２０・ガスケット製造装置２２を中央装置４０において特定することができ、その工場２０・ガスケット製造装置２２に対応する末端装置２１に対してスキャンデータや必要な情報を送出することができる。
従って、異なる複数のガスケット製造装置２２ａ〜２２ｎが、異なる地域や所在地にある異なる複数の工場２０ａ〜２０ｎにそれぞれ備えられていても、適切な工場２０・ガスケット製造装置２２を迅速かつ確実に抽出・特定でき、複数種類のガスケットの製造にも効率よく的確に対応することが可能となる。
【００６０】
ここで、中央装置４０は、ガスケットのタイプに応じて、製造させる工場２０・ガスケット製造装置２２を抽出・決定するようになっているが、ガスケットのタイプに対応可能な工場２０・ガスケット製造装置２２が複数存在する場合には、さらに別の条件（情報）を付加して、より適切・最適な工場２０・ガスケット製造装置２２を抽出・決定することができる。
ガスケットのタイプに付加する情報としては、例えば各工場２０の所在地や加工実績などがある（図５参照）
【００６１】
具体的には、同じタイプのガスケット製造装置を備える工場が複数ある場合には、依頼元である対象ガスケットが所在する現場から最も近い工場を選択することができ、その場合には、中央装置４０で保持する各工場２０の所在地情報が参照される（図５参照）。
また、同じタイプのガスケット製造装置を備える工場が複数あり、複数の工場のそれぞれが、依頼元である対象ガスケットが所在する現場からほぼ同等の距離に所在する場合には、当該タイプのガスケットの加工実績が過去最も多い工場を選択することができ、その場合には、中央装置４０で保持する各工場２０の加工実績情報が参照される（図５参照）。
【００６２】
また、その他付加情報としては、納入期日を用いることも可能である。この場合、例えば各末端装置から中央装置に各ガスケット製造装置の稼働状況に関する情報（例えば稼働スケジュールなど）を送信するなどして、中央装置において各工場（各ガスケット製造装置）の稼働情報と納入期日を比較して最短で製造に着手できる工場を選択することも可能である。
なお、上記付加情報は、工場の所在地情報のみ、加工実績情報のみ、稼働情報のみ、又はこれらの組み合わせを適宜採用可能である。これらの付加情報は、商品情報に含まれる。
【００６３】
以上のように、本実施形態に係るガスケット製造システム１ａによれば、ガスケットのタイプや工場の所在地，加工実績などの諸条件を加味して、複数の工場２０の中からより適切な、最適な工場２０を選択してガスケットを製造させることができるようになる。
これによって、図６に示すように、例えば米国のような広域・広大な国土に複数の工場２０ａ〜２０ｃが点在しており、各工場２０がそれぞれ遠く離れているような場合でも、中央装置４０の制御により、ガスケットのタイプに対応でき、かつ、現場から最も近い最適な工場２０を抽出でき、移動体１０として飛行機を利用することで、迅速に所定の工場２０と依頼元の現場を行き来することが可能となる。
【００６４】
なお、図６に示す移動体１０は飛行機によって構成されているが、これを図２で示したようなトラックや自動車等の車両であっても良い。
逆に、図２で示した日本国内の場合に図６で示すような飛行機を移動体１０として利用することも勿論可能である。
【００６５】
［ガスケット製造方法］
次に、以上のような構成からなる実施形態に係るガスケット製造システム１ａを用いたガスケット製造方法について、図７を参照しつつ説明する。
図７は、本実施形態に係るガスケット製造システム１ａにおけるガスケット製造方法の工程を示すフローチャートである。
本実施形態においても、第一実施形態の場合と同様に、前提として、交換の対象となるガスケットが所在する所定の目的地（例えば工場やプラント）まで、スキャン装置１１と送信装置１２を搭載した移動体１０を移動させる。本実施形態では、移動体１０を構成する飛行機で、対象ガスケットの所在する目的地まで移動する。
【００６６】
その状態において、現場では、対象となるガスケットをスキャン装置１１で読み込んで、スキャンデータを作成する（ステップ２０１）。
スキャンデータの作成は、上述した第一実施形態と同様に、現場で交換対象の使用済ガスケットを受け取り、スキャン装置１１でスキャニングすることにより行う。
スキャン装置１１でスキャンニングされたガスケットの形状データ（スキャンデータ）は、送信装置１２に出力され、対応する所定の商品情報と共に送出され、ネットワークを介して中央装置４０に出力・送信される（ステップ２０２）。
【００６７】
送信装置１２から送信されたスキャンデータと商品情報は、ネットワークを介してデータ伝送され、中央装置４０で受信される（ステップ２０３）。
スキャンデータと商品情報を受信した中央装置４０では、受信データに含まれる商品情報に基づいて、対象ガスケットを製造させる工場２０（ガスケット製造装置２２）を抽出する（ステップ２０４）。
具体的には、中央装置４０は、商品情報に含まれる商品名から対象ガスケットのタイプ（種類）を示すデータを抽出し、予め所定の記憶領域に記憶・保持されたテーブル情報（図５参照）と対比して、当該ガスケットを製造可能なガスケット製造装置２２を備えた工場２０を抽出・特定する。
【００６８】
例えば、商品情報に含まれる商品名に基づいて対象ガスケットのタイプが汎用の通常のガスケットであると判定されれば、テーブル情報が参照されて、通常のガスケット製造装置２２ａを備える工場Ａ２０ａが抽出される。
また、商品情報に含まれる商品名に基づいて対象ガスケットのタイプが株式会社ニチアス製ガスケット「ボルテックス」であると判定されれば、テーブル情報が参照されて、「ボルテックス」の製造に対応したボルテックス製造装置２２ｂを備える工場Ｂ２０ｂが抽出される。
同様に、商品情報に含まれる商品名に基づいて対象ガスケットのタイプが株式会社ニチアス製ガスケット「メタルジャケット」であると判定されれば、「メタルジャケット」の製造に対応したメタルジャケット製造装置２２ｃを備える工場Ｃ２０ｃが抽出される。
そして、中央装置４０は、抽出された工場２０・ガスケット製造装置２２に対応して設けられている末端装置２１に対して、スキャンデータと必要な商品情報等を送信する（ステップ２０５）。
【００６９】
また、中央装置４０は、対象ガスケットの製造に対応可能な工場が複数あるような場合には、中央装置４０で保持する各工場２０の所在地情報を参照することにより（図５参照）、複数の工場の中から、依頼元である対象ガスケットが所在する現場に最も近い工場を選択することができる。
さらに、中央装置４０は、対象ガスケットの製造に対応可能な工場が複数あり、複数の工場のそれぞれが、依頼元である対象ガスケットが所在する現場からほぼ同等の距離に所在するような場合には、中央装置４０で保持する各工場２０の加工実績情報が参照することにより（図５参照）、当該タイプのガスケットの加工実績が過去最も多い工場を選択することができる。
【００７０】
中央装置４０から送出されたスキャンデータと必要な商品情報は、抽出された工場２０・ガスケット製造装置２２に対応して備えられている末端装置２１において受信される（ステップ２０６）。
そして、末端装置２１で受信されたスキャンデータと商品情報は、対応するガスケット製造装置２２に入力されて、そのスキャンデータと商品情報に基づいて、ガスケットが製造される（ステップ２０７）。
なお、中央装置４０からスキャンデータや商品情報を受信した末端装置２１では、中央装置４０や依頼者に対して、受領確認や納期（例えば、受信した商品情報と工場の稼働スケジュールとに基づいて算出した納期）の連絡をすることができる。
製造された新しいガスケットは、スキャンデータが取得された現地に輸送・搬送されて、古いガスケットと交換されて、設備の所定箇所に取り付けられて使用されることになる。
【００７１】
以上説明したように、本実施形態に係るガスケット製造システム１ａ及びガスケット製造方法によれば、上述した第一実施形態の場合と同様、移動体１０にスキャン装置１１と送信装置１２を搭載して、所定の目的地に移動し、現地にて交換対象となるガスケットのスキャンデータを生成・取得し、そのデータをその場で、離れた場所にある工場２０に送信してガスケットを製造させることができる。
従って、既存のガスケット製造装置を既存の設置場所でそのまま使用でき、遠隔地のガスケットを既存のガスケット製造装置が設置されている場所まで取り寄せることも必要なく、ガスケット製造設備と製造方式をリーン化できると共に、迅速かつ円滑にガスケットを製造できる。
【００７２】
しかも、本実施形態に係るガスケット製造システム１ａでは、中央装置４０を備えることで、中央装置４０が送信装置１２からスキャンデータと商品情報を受信して、その商品情報を用いて複数の末端装置２１のうち、商品情報のガスケットタイプを製造可能なガスケット製造装置２２に対応して設けられる末端装置２１を抽出・特定して、特定された末端装置２１にスキャンデータを送信することができる。
これによって、複数のガスケット製造装置２２の中から、抽出・特定された末端装置２１に対応するガスケット製造装置２２でガスケットを製造することができ、異なる複数のガスケット製造装置２２ａ〜２２ｎが、異なる地域や所在地にある異なる複数の工場２０ａ〜２０ｎにある場合でも、適切な工場２０・ガスケット製造装置２２を迅速かつ確実に抽出・特定でき、複数種類のガスケットの製造にも効率よく的確に対応することができるようになる。
【００７３】
以上、本発明のガスケット製造システム及びガスケット製造方法について、好ましい実施形態を示して説明したが、本発明に係るガスケット製造システム及びガスケット製造方法は、上述した実施形態にのみ限定されるものではなく、本発明の範囲で種々の変更実施が可能であることは言うまでもない。
例えば、上述した実施形態では、本発明に係るガスケット製造システムを構成する移動体として、第一実施形態でトラックを例に取って説明したが、移動体はトラック以外の車両であっても良いことは勿論である。例えば貨物運搬用のワゴン車やライトバン、ピックアップトラック等であっても良い。また、普通乗用車や軽自動車であってもよい。
【００７４】
また、第二実施形態で示した飛行機も、種類や形態は限定されず、プロペラ機・ジェット機・小型飛行機・大型飛行・ヘリコプター等、スキャン装置と送信装置を搭載可能で、所望の箇所に飛行により移動できる手段であれば、どのようなものであっても良い。
また、上述した実施形態では、ガスケット製造システムの構成として、カッティングプロッターとスキャン装置を備えるようになっていたが、それ以外の装置や器具等を備えることもできる。また、カッティングプロッターやスキャン装置に代えて、他の手段によってガスケット製造システムを構成することも可能である。
【００７５】
すなわち、本発明に係るガスケット製造システムは、ガスケットのスキャンデータを取得可能なスキャン装置と取得されたスキャンデータをデータ伝送可能な送信手段を所望の移動先・目的地に移動させて、現地からガスケットのスキャンデータを取得・送信して、別の場所にあるガスケット製造装置でガスケットを製造されることができる限り、ガスケット製造システムを構成する装置や移動体は、どのような構成のものであっても採用することができるものである。
【産業上の利用可能性】
【００７６】
本発明は、ガスケットの交換が必要な工場やプラントなどの現地でガスケットの製造に必要な情報を取得して、現地から離れた所定の工場でガスケットを製造するガスケット製造システムとして好適に利用可能である。
【符号の説明】
【００７７】
１  ガスケット製造システム
１ａ  ガスケット製造システム
１０  移動体
１１  スキャン装置
１２  送信装置
２０  工場
２１  受信装置
２２  ガスケット製造装置
３０  ネットワーク
４０  中央装置
【図１】
0006585086.tif 000002
【図２】
0006585086.tif 000003
【図３】
0006585086.tif 000004
【図４】
0006585086.tif 000005
【図５】
0006585086.tif 000006
【図６】
0006585086.tif 000007
【図７】
0006585086.tif 000008